(57)【要約】    【課題】記録装置において、用紙の搬送と用紙の皺取りを同時に行うことができる用紙搬送を実現する。    【解決手段】記録装置は、作図時、プラテン８上の用紙を駆動ローラ２０と加圧ローラ１８とからなるグリップ部で挟持し、駆動ローラ２０の回転によってプラテン８上の用紙を１軸方向に搬送する一方、プラテン８上の用紙に印字を行う。駆動ローラ２０は、用紙の横幅方向の全域にわたって延びる長尺ローラにより構成され、該長尺ローラの表面は多数の微少な突起が形成されたグリット表面２０ａとなっている。グリット表面２０ａは、帯状の非突起部２８ａ，２８ｂによって螺旋状に区切られ、このグリット表面２０ａの螺旋形状は長尺ローラの長手方向の中間に対して左右対称形となっており、用紙搬送時、グリット表面２０ａは用紙を左右に引き伸ばす方向に圧力を作用させ、用紙の皺を除去する。【選択図】図１
2006206194.tif 000002
【特許請求の範囲】
【請求項１】
プラテン上の用紙を駆動ローラと加圧ローラとからなるグリップ部で挟持し、駆動ローラの回転によってプラテン上の用紙を１軸方向に搬送する一方、プラテン上の用紙に印字を行うようにした記録装置において、前記駆動ローラを用紙の横幅方向の全域にわたって延びる長尺ローラにより構成し、該長尺ローラの表面を多数の微少な突起が形成されたグリット表面とし、該グリット表面を帯状の非突起部によって螺旋状に区切り、該グリット表面の螺旋形状を長尺ローラの長手方向の中間に対して左右対称形としたことを特徴とする記録装置。
【請求項２】
前記プラテンの印字部を前記グリップ部の用紙排出側の近傍に配置し、プラテン上の用紙に前記グリップ部の用紙排出側の近傍で印字を行うようにしたことを特徴とする請求項１に記載の記録装置。
【請求項３】
前記プラテン側に、該プラテン上の用紙の横幅方向の中心を、前記長尺ローラの長手方向の左右に形成された対称形の螺旋状グリット表面の左右の中心に一致させる目安となる位置合わせマークを設けたことを特徴とする請求項１に記載の記録装置。
【請求項４】
前記プラテンの印字部の下面にバキューム室を設け、用紙を吸気によりプラテンの上面に吸引し、該プラテンの吸気面上で用紙に印字を行うようにしたことを特徴とする請求項１に記載の記録装置。
【請求項５】
前記用紙としてロール紙を使用し、前記グリップ部から排出されたロール紙引き出し部分を巻き取りスクローラで巻き取るように成し、前記ロール紙引き出し部分の前記グリップ部の下流側を巻き取り方向にテンションをかけたことを特徴とする請求項１に記載の記録装置。
【発明の詳細な説明】
【技術分野】
【０００１】
本発明は、プラテン上の用紙を駆動ローラと加圧ローラとからなるグリップ部で挟持し、駆動ローラの回転によってプラテン上の用紙を１軸方向に搬送する一方、プラテン上の用紙に印字を行うようにした記録装置に関し、更に特定すれば、プラテン上の用紙の皺を除去する皺取り機能を備えた記録装置に関する。
【背景技術】
【０００２】
複数個の長尺な駆動ローラと複数個の押さえローラとで用紙をグリップし、駆動ローラの回転によって用紙を搬送する大型プリンタが従来知られている（例えば特許文献１参照）。また、プラテン上に搬入するメディアに生じている皺を取り除くインクジェットプリンタのメディア皺取り装置が従来知られている（例えば特許文献２参照）。また、駆動ローラに螺旋状の切り欠きを設け、該切り欠きに用紙をくい込ませて送り、用紙搬送精度を高めた記録媒体搬送装置が従来知られている（例えば特許文献３参照）。
【特許文献１】特開２０００−１５９３８３号公報
【特許文献２】特開２００２−３６１８５５号公報
【特許文献３】特開平９−１６９４５０号公報
【発明の開示】
【発明が解決しようとする課題】
【０００３】
インクジェットプリンタなどの記録装置においては、通常、駆動ローラと加圧ローラとで構成されるグリップ部で、プラテン上の用紙を把持し、駆動ローラの回転によって用紙を１軸方向に搬送しながら、駆動ローラの近傍で用紙に印字を行う。この場合、印字部に搬送された用紙に皺があると、プラテン上で用紙が浮き上がって用紙にきれいに印字することができない。特にインクジェット型ヘッドを用いた場合には、印字ヘッドのノズルと印字面との距離が変化し正確な印字ができなくなり、印字品質の劣化を招くことになる。
また用紙駆動ローラの上流側に配置した搬送ローラにコイルばねを取り付けて、用紙の皺を取る装置が知られているが、コイルばねの凸部で用紙を伸ばす方向に加圧すると、コイルばねと凸部との圧接により用紙が傷み易い。しかも、支持棒にコイルばねを巻き付ける必要があり、構造が複雑となり、コストアップの原因となる。また、用紙の皺の除去は、できるだけ印字部の近傍で行うことが望ましいが、従来の用紙の皺取り装置は、印字部から離れた搬送ローラに設けたものであり、搬送ローラで皺を取っても、印字部に搬送されるまでの間にしわが復元してしまう恐れがある。
本発明は上記問題点を解決することを目的とするものである。
【課題を解決するための手段】
【０００４】
上記目的を達成するため本発明は、プラテン上の用紙を駆動ローラと加圧ローラとからなるグリップ部で挟持し、駆動ローラの回転によってプラテン上の用紙を１軸方向に搬送する一方、プラテン上の用紙に印字を行うようにした記録装置において、前記駆動ローラを用紙の横幅方向の全域にわたって延びる長尺ローラにより構成し、該長尺ローラの表面を多数の微少な突起が形成されたグリット表面とし、該グリット表面を帯状の非突起部によって螺旋状に区切り、該グリット表面の螺旋形状を長尺ローラの長手方向の中間に対して左右対称形としたものである。
また本発明は、前記プラテンの印字部を前記グリップ部の用紙排出側の近傍に配置し、プラテン上の用紙に前記グリップ部の用紙排出側の近傍で印字を行うようにしたものである。
また本発明は、前記プラテン側に、該プラテン上の用紙の横幅方向の中心を、前記長尺ローラの長手方向の左右に形成された対称形の螺旋状グリット表面の左右の中心に一致させる目安となる位置合わせマークを設けたものである。
また本発明は、前記プラテンの印字部の下面にバキューム室を設け、用紙を吸気によりプラテンの上面に吸引し、該プラテンの吸気面上で用紙に印字を行うようにしたものである。
また本発明は、前記用紙としてロール紙を使用し、前記グリップ部から排出されたロール紙引き出し部分を巻き取りスクローラで巻き取るように成し、前記ロール紙引き出し部分の前記グリップ部の下流側を巻き取り方向にテンションをかけたものである。
【発明の効果】
【０００５】
本発明は、用紙の搬送を行いつつ用紙の皺も取れるので、プラテン上での用紙の浮き上がりのない良好な用紙搬送を行うことができ、作画品質を高めることができる。
【発明を実施するための最良の形態】
【０００６】
以下に本発明の構成を添付した図面を参照して詳細に説明する。
図２において、符号２は、大きなロール紙に印字する大型のインクジェット型プリンタを示し、床面上に載置された基台４上に、脚台６が立設され、脚台６の上部には、前後に用紙ガイド８ａ，８ｂが延設されたプラテン８が支承されている。プラテン８の下部にはファン１２が内置されたバキューム室１０が設置され、プラテン８上の用紙に吸引孔１４を通じて、吸引力が作用するように構成されている。脚台６の上部にはＹ軸レール１５が架設され、該Ｙ軸レール１５にキャリッジを介して、複数のインクジェット型印字ヘッドを搭載したヘッド部１６がＹ軸駆動装置により往復動可能に取り付けられている。
【０００７】
前記Ｙ軸レール１５には、支持アームを介して加圧ローラ１８が昇降可能に取り付けられ、該加圧ローラ１８と、プラテン８に形成されたスリットの直下に配置された、Ｘ軸駆動装置に連係する長尺状の駆動ローラ２０とで用紙グリップ部を構成している。プリンタ２の正面側には、基台４に支持された、ロール紙巻き取り機構（図示省略）が設けられ、これに巻き取りスクローラ２２が脱着可能に支持されている。プリンタの背面側には、基台４に支持されたロール紙供給機構（図示省略）が設けられ、これに、ロール紙２４が装着された供給スクローラ２６が脱着可能に支持されている。
前記ロール紙供給機構に支持されたロール紙２４のロール部２４ａから引き出されたロール紙引き出し部分２４ｂは、後方用紙ガイド８ｂ、駆動ローラ２０と加圧ローラ１８との間、プラテン８上、前方用紙ガイド８ａを経て、ロール紙巻き取り機構に支持された巻き取りスクローラ２２に巻き取られるように構成されている。
【０００８】
前記ロール紙供給機構は、ロール紙２４が装着された供給スクローラ（芯体）２６を脱着可能に保持するスクローラ保持手段を備え、該保持手段は、トルク調整可能なトルクリミッタ（図示省略）を介して駆動モータに連係している。前記ロール紙巻き取り機構は、ロール紙巻き取り用の巻き取りスクローラ２２を脱着可能に保持する巻き取りスクローラ保持手段を備え、該保持手段は、トルクリミッタ（図示省略）を介して駆動モータに連係している。前記ヘッド部１６、該ヘッド部１６をＹ軸レール１５に沿って駆動するＹ軸駆動装置、駆動ローラ２０を駆動するＸ軸駆動装置、前記ロール紙供給機構の駆動モータ及びトルクリミッタ、前記ロール紙巻き取り機構の駆動モータ及びトルクリミッタ等は、プリンタのコントローラに接続し、該コントローラに格納された各種プログラムよって制御されるように構成されている。
【０００９】
前記駆動ローラ２０は、用紙の横幅方向全域にわたって伸びる金属製の長尺ローラによって構成され、その円周面の全長にわたって、砥粒形成加工、ナール（ローレット切り）加工その他の微少突起形成加工によって、多数の微少突起からなるグリット表面２０ａが形成されている。駆動ローラ２０は、プラテン８上の用紙搬送路を直角に横切るＹ軸方向に平行に配置され、その円周面の上部が、プラテン８に形成されたスリットを介してプラテン８から一部露出している。前記駆動ローラ２０のグリット表面２０ａには、その長手方向の中間部を（Ｃ）（図３参照）を境にして、その左右両側に、所定幅の帯状の、突起が形成されていない面からなる、非突起部２８ａ，２８ｂが螺旋状に形成され、この螺旋状の非突起部２８ａ，２８ｂの軌跡は、前記中間部（Ｃ）を基準として、図３中、左右対称の螺旋構造となっている。
【００１０】
前記駆動ローラ２０のグリット表面２０ａは、前記螺旋状の非突起部２８ａ，２８ｂによって、駆動ローラ表面を螺旋状に巻かれた帯状のグリット表面に区画されている。この帯状のグリット表面２０ａの螺旋構造は、駆動ローラ２０の前記中間部（Ｃ）を基準として左右対称形となっている。前記プラテン８には、図１に示すように、プラテン８上のロール紙引き出し部分２４ｂの幅方向の真ん中（Ｄ）を、駆動ローラ２０の長手方向の中央（Ｃ）に一致させて、ロール紙引き出し部分２４ｂをプラテン８上にセッティングするための位置合わせマーク３０が設けられている。この位置合わせマーク３０は、多種の大きさに対応できるように複数設けられている。
次に、本実施形態の動作について説明する。
【００１１】
ロール紙２４をプリンタ２にセッティングするには、予め、加圧ローラ１８を駆動ローラ２０から上昇させておく。該状態で、ロール紙供給機構の供給スクローラ保持手段に、供給スクローラ２６に装着された未使用のロール紙２４の供給スクローラ２６を保持させる。ロール紙２４のロール部２４ａから引き出したロール紙引き出し部分２４ｂを、後方ガイド８ｂ、駆動ローラ２０の上を経て、プラテン８上に導き、ロール紙引き出し部分２４ｂの両側をマーク３０に合わせてプラテン８の真ん中に配置する。更にロール紙引き出し部分２４ｂを前方ガイド８ａを経てロール紙巻き取り機構に延ばし、ロール紙引き出し部分２４ｂの先端を、ロール紙巻き取り機構の巻き取りスクローラ保持手段に保持されている巻き取りスクローラ２２に粘着テープ等により係止する。
プラテン８上のロール紙引き出し部分２４ｂの幅方向の真ん中（Ｄ）を、プラテン８の中心即ち、駆動ローラ２０の長手方向の中央（Ｃ）に一致させたのは、作画時、ロール紙引き出し部分２４ｂに作用する、駆動ローラ２０の、左右に引き延ばす皺取りのための圧力が、該ロール紙引き出し部分２４ｂに左右均等に作用するようにするためである。
【００１２】
ロール紙のセッティングが完了したところで、加圧ローラ１８を下降し、加圧ローラ１８と駆動ローラ２０とでプラテン８上のロール紙引き出し部分２４ｂを圧着挟持する。
印字動作に移行すると、コントローラの制御により、ヘッド部１６は、Ｙ軸レール１５に沿って往復方向に駆動される。一方、プラテン８上のロール紙引き出し部分２４ｂは、駆動ローラ２０の、図２中、反時計方向の間欠回転により、プラテン８上をＸ軸方向に前方に向けて間欠的に搬送され、ヘッド部１６の印字ヘッドのノズルから吐出されるインク滴により、ロール紙引き出し部分２４ｂに、プラテン８の駆動ローラ２０の排出側の近傍に設定された印字部で、印字作画が行われる。作図中、ロール紙引き出し部分２４ｂの、グリップ部を挟んで、供給側と、巻き取り側には、それぞれテンションが付与される。
供給側のテンションは、ロール紙供給機構側のトルクリミッタにより発生し、巻き取り側のテンションは、反時計方向に、トルクリミッタにより制限された、駆動モータの回転力により発生する。
【００１３】
プラテン８上の、ロール紙引き出し部分２４ｂの、駆動ローラ２０の回転によるＸ軸方向の搬送に伴い、ロール紙供給機構に保持されたロール紙２４のロール部２４ａから、トルクリミッタのトルクに抗して用紙が引き出され、グリップ部から排出されたロール紙引き出し部分２４ｂは、駆動モータにより駆動される巻き取りスクローラ２２の巻き取り方向の、トルクリミッタにより制限された、回転力によって巻き取りスクローラ２２に巻き取られてゆく。
ロール紙引き出し部分２４ｂは、駆動ローラ２０の回転による搬送中、加圧ローラ１８の押圧力によって、駆動ローラ２０のグリット表面２０ａに密着し、グリット表面２０ａの螺旋構造によって、ロール紙引き出し部分２４ｂの幅方向の中心から、その両側左右方向に向けて、図１中、矢方向ａ，ｂに引き伸ばす圧力を、グリット表面２０ａから受け、ロール紙引き出し部分２４ｂの皺が伸ばされる。これにより、駆動ローラ２０と加圧ローラ１８とからなるグリップ部から排出されたロール紙引き出し部分２４ｂがプラテン８上で皺により浮き上がるのを防止することができる。
【００１４】
しかも、ロール紙引き出し部分２４ｂは、駆動ローラ２０の、図２中、反時計方向の回転による、Ｘ軸方向の搬送中、バキュム室１０から吸引力の作用を受けるとともに、グリップ部を基準にして、ロール紙搬送路の下流側は、トルクリミッタにより制限された、モータの駆動による、巻き取りスクローラ２２の、図２中、反時計方向の回転力により、テンションが発生し、このテンションによって、ロール紙引き出し部分２４ｂは、プラテン８に押し付けられる。このように、作図中、プラテン８上のロール紙引き出し部分２４ｂは、駆動ローラ２０の螺旋構造による、グリット表面２０ａからの皺伸ばし方向の圧力と、バキューム室１０からの吸引力と、巻き取り方向に引っ張られる下流側テンションとの相互作用により、相乗効果的に、プラテン８上での浮き上がりが防止され、プラテン８上の印字部において、水平に密着する。
【００１５】
しかしながら、本発明はロール紙の作画に限定されるものではなく、カット紙の作画にも対応できる。また、バキューム機構とロール紙テンション機構は特に設けなくともよい。また、ロール紙引き出し部のＸ軸方向の搬送中、テンションを付与する構成は、モータとトルクリミッタの構成に特に限定されるものではなく、公知の、重力やばね力を利用したテンションローラを用いた構成その他を採用することができる。
【図面の簡単な説明】
【００１６】
【図１】本発明に係る記録装置の要部の平面説明図である。
【図２】本発明に係る記録装置の側面説明図である。
【図３】駆動ローラの正面図である。
【図４】駆動ローラの一部の正面図である。
【符号の説明】
【００１７】
２      プリンタ
４      基台
６      脚台
８      プラテン
１０    バキューム室
１２    ファン
１４    吸引孔
１５    Ｙ軸レール
１６    ヘッド部
１８    加圧ローラ
２０    駆動ローラ
２２    巻き取りスクローラ
２４    ロール紙
２６    供給スクローラ
２８ａ  非突起部
２８ｂ  非突起部
３０    位置合わせマーク
【図１】
2006206194.tif 000003
【図２】
2006206194.tif 000004
【図３】
2006206194.tif 000005
【図４】
2006206194.tif 000006